(57)【特許請求の範囲】
【請求項１】
織物柔軟剤活性組成物であって、
ａ）少なくとも１種のトリス（２−ヒドロキシエチル）メチルアンモニウムメチルスルフェート脂肪酸エステル６５〜９８質量％、
ｂ）前記組成物の全アミン価７〜２０ｍｇＫＯＨ／ｇを提供する量の少なくとも１種のトリス（２−ヒドロキシエチル）アミン脂肪酸エステル、および
ｃ）メタノール１〜１５００ｐｐｍ
を含む前記組成物。
【請求項２】
メタノール１０〜８００ｐｐｍを含む、請求項１に記載の織物柔軟剤活性組成物。
【請求項３】
前記トリス（２−ヒドロキシエチル）アミン脂肪酸エステルを、前記組成物の全アミン価８〜１３ｍｇＫＯＨ／ｇを提供する量で含む、請求項１または２に記載の織物柔軟剤活性組成物。
【請求項４】
前記トリス（２−ヒドロキシエチル）メチルアンモニウムメチルスルフェート脂肪酸エステルおよび前記トリス（２−ヒドロキシエチル）アミン脂肪酸エステルが、同一の脂肪酸部分を有している、請求項１から３までのいずれか１項に記載の織物柔軟剤活性組成物。
【請求項５】
前記トリス（２−ヒドロキシエチル）メチルアンモニウムメチルスルフェート脂肪酸エステルが、脂肪酸部分の窒素に対する平均モル比１．４〜２．０を有している、請求項１から４までのいずれか１項に記載の織物柔軟剤活性組成物。
【請求項６】
前記トリス（２−ヒドロキシエチル）メチルアンモニウムメチルスルフェート脂肪酸エステルの脂肪酸部分に相当する前記脂肪酸が、０．５〜１２０のヨウ素価を有している、請求項１から５までのいずれか１項に記載の織物柔軟剤活性組成物。
【請求項７】
前記トリス（２−ヒドロキシエチル）メチルアンモニウムメチルスルフェート脂肪酸エステルの脂肪酸部分が、１６〜１８個の炭素原子の平均鎖長を有している、請求項１から６までのいずれか１項に記載の織物柔軟剤活性組成物。
【請求項８】
前記トリス（２−ヒドロキシエチル）メチルアンモニウムメチルスルフェート脂肪酸エステルが、ポリ不飽和脂肪酸部分１０モル％未満を含んでいる、請求項１から７までのいずれか１項に記載の織物柔軟剤活性組成物。
【請求項９】
エタノール、１−プロパノール、２−プロパノール、エチレングリコール、ジエチレングリコール、プロピレングリコール、ジプロピレングリコール、エチレングリコールのＣ1〜Ｃ4アルキルモノエーテル、およびプロピレングリコールのＣ1〜Ｃ4アルキルモノエーテルから選択される溶媒を３５質量％までさらに含む、請求項１から８までのいずれか１項に記載の織物柔軟剤活性組成物。
【請求項１０】
トリス（２−ヒドロキシエチル）メチルアンモニウムメチルスルフェート脂肪酸エステル６５〜９８質量％、およびメタノール１〜１５００ｐｐｍを含む織物柔軟剤活性組成物の製造方法であって、少なくとも１種のトリス（２−ヒドロキシエチル）アミン脂肪酸エステルを、反応混合物が全アミン価７〜２０ｍｇＫＯＨ／ｇを有するまで、ジメチルスルフェートのアミン窒素に対するモル比０．７９〜０．９４でジメチルスルフェートと反応させる前記方法。
【請求項１１】
前記トリス（２−ヒドロキシエチル）アミン脂肪酸エステルを、ジメチルスルフェートと６０〜９５℃の温度で反応させる、請求項１０に記載の方法。
【請求項１２】
前記トリス（２−ヒドロキシエチル）アミン脂肪酸エステルが、脂肪酸部分の窒素に対する平均モル比１．４〜２．０を有する、請求項１０または１１に記載の方法。
【請求項１３】
前記トリス（２−ヒドロキシエチル）アミン脂肪酸エステルの脂肪酸部分が、０．５〜１２０のヨウ素価を有している、請求項１０から１２までのいずれか１項に記載の方法。
【請求項１４】
前記トリス（２−ヒドロキシエチル）アミン脂肪酸エステルの脂肪酸部分が、１６〜１８個の炭素原子の平均鎖長を有している、請求項１０から１３までのいずれか１項に記載の方法。
【発明の詳細な説明】
【技術分野】
【０００１】
本発明は、トリス（２−ヒドロキシエチル）メチルアンモニウムメチルスルフェート脂肪酸エステルを含み、かつメタノールの含有量が低い織物柔軟剤活性組成物、およびこのような組成物の製造方法に関する。
【０００２】
２つの疎水性の長鎖炭化水素部分を有する第四級アンモニウム塩は、織物柔軟剤活性物として幅広く使用されている。１分子あたり平均２つの脂肪酸部分とエステル化されるアルカノールアミンの第四級アンモニウム塩は、一般的に、エステル四級化物（ｅｓｔｅｒ  ｑｕａｔｓ）と呼ばれ、その生分解性を理由に、主に、従来のアルキル第四級アンモニウム化合物と置き換えられている。
【０００３】
トリエタノールアミンの脂肪酸エステルのジメチルスルフェートによる四級化により製造されるトリス（２−ヒドロキシエチル）メチルアンモニウムメチルスルフェート脂肪酸エステルは、織物柔軟剤活性物として幅広く使用されている。ジメチルスルフェートは、発がん物質の可能性があるため、四級化は、ジメチルスルフェートの完全な変換およびアミンの高い変換率を達成するために実施される。この方法で製造されるトリス（２−ヒドロキシエチル）メチルアンモニウムメチルスルフェート脂肪酸エステルが、予想外に大量のメタノールを含むことが現在判明している。トリス（２−ヒドロキシエチル）メチルアンモニウムメチルスルフェート脂肪酸エステル柔軟剤活性物が、２０年以上使用されてきたにもかかわらず、この組成物においてメタノールの含有量が高いことは、これまで気づかれないままであった。
【０００４】
メタノールが毒性であり、作業場の危険を示すため、したがって、メタノールの含有量が低いトリス（２−ヒドロキシエチル）メチルアンモニウムメチルスルフェート脂肪酸エステルを含む織物柔軟剤活性組成物を提供する必要がある。前記組成物の容易な製造方法も必要である。
【０００５】
トリス（２−ヒドロキシエチル）メチルアンモニウムメチルスルフェート脂肪酸エステルを含み、かつメタノールの含有量が低い織物柔軟剤活性組成物は、ジメチルスルフェートの完全な変換で従来技術の方法よりも高い全アミン価が達成される反応条件で、トリエタノールアミンの脂肪酸エステルをジメチルスルフェートと反応させて製造できることが判明している。
【０００６】
したがって、本発明は、織物柔軟剤活性組成物であって、
ａ）少なくとも１種のトリス（２−ヒドロキシエチル）メチルアンモニウムメチルスルフェート脂肪酸エステル６５〜９８質量％、
ｂ）前記組成物の全アミン価７〜２０ｍｇＫＯＨ／ｇを提供する量の少なくとも１種のトリス（２−ヒドロキシエチル）アミン脂肪酸エステル、および
ｃ）メタノール１〜１５００ｐｐｍ
を含む前記組成物を対象とする。
【０００７】
さらに、本発明は、トリス（２−ヒドロキシエチル）メチルアンモニウムメチルスルフェート脂肪酸エステル６５〜９８質量％、およびメタノール１〜１５００ｐｐｍを含む織物柔軟剤活性組成物の製造方法を対象としており、ここで、少なくとも１種のトリス（２−ヒドロキシエチル）アミン脂肪酸エステルは、反応混合物が全アミン価７〜２０ｍｇＫＯＨ／ｇを有するまで、ジメチルスルフェートのアミン窒素に対するモル比０．７９〜０．９４でジメチルスルフェートと反応させる。
【０００８】
本発明の織物柔軟剤活性組成物は、少なくとも１種のトリス（２−ヒドロキシエチル）メチルアンモニウムメチルスルフェート脂肪酸エステルを６５〜９８質量％含んでいる。この組成物は、さらに、少なくとも１種のトリス（２−ヒドロキシエチル）アミン脂肪酸エステルを、前記組成物の全アミン価７〜２０ｍｇＫＯＨ／ｇ、好ましくは８〜１３ｍｇＫＯＨ／ｇ、より好ましくは９〜１２ｍｇＫＯＨ／ｇを提供する量で含んでいる。全アミン価は、Ａｍｅｒｉｃａｎ  Ｏｉｌ  Ｃｈｅｍｉｓｔｓ  ＳｏｃｉｅｔｙのＴｆ  ２ａ−６４法に準拠する、過塩素酸による非水滴定により測定され、試料１ｇあたりのｍｇＫＯＨとして算出される。
【０００９】
前記トリス（２−ヒドロキシエチル）メチルアンモニウムメチルスルフェート脂肪酸エステルの脂肪酸部分は、純粋な脂肪酸または一般式ＲＣＯＯＨ（式中、Ｒは、炭化水素基である）の脂肪酸の混合物に由来してよい。この炭化水素基は、分岐しているか、または分岐していなくてよく、分岐していないのが好ましい。前記トリス（２−ヒドロキシエチル）アミン脂肪酸エステルの脂肪酸部分は、同一もしくは異なる脂肪酸または脂肪酸の混合物に由来していてよい。前記トリス（２−ヒドロキシエチル）メチルアンモニウムメチルスルフェート脂肪酸エステルおよび前記トリス（２−ヒドロキシエチル）アミン脂肪酸エステルは、同一の脂肪酸部分を有しているのが好ましい。
【００１０】
前記トリス（２−ヒドロキシエチル）メチルアンモニウムメチルスルフェート脂肪酸エステルは、一般式ＣＨ3Ｎ+（ＣＨ2ＣＨ2ＯＨ）2（ＣＨ2ＣＨ2ＯＣ（＝Ｏ）Ｒ）ＣＨ3ＯＳＯ3-のモノエステル、一般式ＣＨ3Ｎ+（ＣＨ2ＣＨ2ＯＨ）（ＣＨ2ＣＨ2ＯＣ（＝Ｏ）Ｒ）2ＣＨ3ＯＳＯ3-のジエステル、および一般式ＣＨ3Ｎ+（ＣＨ2ＣＨ2ＯＣ（＝Ｏ）Ｒ）3ＣＨ3ＯＳＯ3-のトリエステルを含んでいてよく、前記式中、Ｒは、脂肪酸部分ＲＣＯＯの炭化水素基である。前記トリス（２−ヒドロキシエチル）メチルアンモニウムメチルスルフェート脂肪酸エステルは、脂肪酸部分の窒素に対する平均モル比１．４〜２．０、より好ましくは１．５〜１．８を有しているのが好ましい。前記モル比は、リンスサイクル（ｒｉｎｓｅ  ｃｙｃｌｅ）織物柔軟剤における高い柔軟性能を提供するものである。
【００１１】
前記トリス（２−ヒドロキシエチル）メチルアンモニウムメチルスルフェート脂肪酸エステルの脂肪酸部分に相当する脂肪酸は、０．５〜１２０、より好ましくは１〜５０、より好ましくは３０〜４５のヨウ素価を有しているのが好ましい。ヨウ素価は、ＩＳＯ３９６１の方法により測定される、脂肪酸１００ｇの二重結合の反応により消費されるヨウ素の量（ｇ）である。
【００１２】
前記トリス（２−ヒドロキシエチル）メチルアンモニウムメチルスルフェート脂肪酸エステルの脂肪酸部分は、１６〜１８個、より好ましくは１６．５〜１７．８個の炭素原子の平均鎖長を有しているのが好ましい。平均鎖長は、脂肪酸の混合物中の個々の脂肪酸の重量分率を基に算出されるものである。分岐鎖脂肪酸の場合、鎖長は、炭素原子の最長の連続した鎖を示す。
【００１３】
好ましいヨウ素価および平均鎖長は、融点に関して前記織物柔軟剤組成物の優れた加工性、およびリンスサイクル織物柔軟剤における粘度および高い織物柔軟効率の好適な組合せを提供する。
【００１４】
必要な平均鎖長およびヨウ素価を提供するため、脂肪酸部分は、飽和および不飽和脂肪酸の両方を含む脂肪酸の混合物に由来してよい。不飽和脂肪酸は、一価不飽和脂肪酸であるのが好ましい。前記トリス（２−ヒドロキシエチル）メチルアンモニウムメチルスルフェート脂肪酸エステルは、好ましくは１０質量％未満、より好ましくは６質量％未満の多価不飽和脂肪酸部分を含んでいる。好適な飽和脂肪酸の例は、パルミチン酸およびステアリン酸である。好適な一価不飽和脂肪酸の例は、オレイン酸およびエライジン酸である。不飽和脂肪酸部分の二重結合のシス−トランス比は、５５：４５より高いのが好ましく、６５：３５よりも高いのがより好ましい。多価不飽和脂肪酸部分の割合は、−ＣＨ＝ＣＨ−ＣＨ2−ＣＨ＝ＣＨ−構造の１つの二重結合を選択的に水素化するが、一価不飽和の炭化水素基の二重結合は選択的に水素化しない、選択的接触水素化（ｔｏｕｃｈ  ｈｙｄｒｏｇｅｎａｔｉｏｎ）により低下することができる。
【００１５】
本発明による織物柔軟剤活性組成物は、この組成物の質量に対して１〜１５００ｐｐｍ、好ましくは１０〜８００ｐｐｍのメタノールも含んでいる。このメタノールの含有量は、トリス（２−ヒドロキシエチル）アミン脂肪酸エステルとジメチルスルフェートとの反応により製造される、同様の量のトリス（２−ヒドロキシエチル）メチルアンモニウムメチルスルフェート脂肪酸エステルを含む、先行技術の織物柔軟剤組成物よりも低い。前記組成物のメタノール含有量は、メタノールの公知量の添加による校正を用いるヘッドスペースＧＬＣ分析によって測定することができる。前記織物柔軟剤組成物は、正確なヘッドスペースＧＬＣ分析のために粘度を低下させるため、好適な溶媒、例えば、ジメチルホルムアミドで希釈されているのが好ましい。本発明の織物柔軟剤活性組成物におけるメタノールの比較的低い含有量は、作業の安全措置の必要性、ならびに生成物の標識化および分類の必要条件を低減し、前記組成物の引火点を、従来技術の組成物と比べて高める。
【００１６】
本発明の織物柔軟剤活性組成物は、さらに、１種以上の追加の有機溶媒を含んでいてよい。この組成物は、エタノール、１−プロパノール、２−プロパノール、エチレングリコール、ジエチレングリコール、プロピレングリコール、ジプロピレングリコール、エチレングリコールのＣ1〜Ｃ4アルキルモノエーテルおよびプロピレングリコールのＣ1〜Ｃ4アルキルモノエーテルから選択される溶媒を３５質量％まで含んでいるのが好ましい。追加の溶媒の量は、最も好ましくは５〜２０質量％である。より好ましい溶媒は、エタノール、１−プロパノールおよび２−プロパノールであり、エタノールまたは２−プロパノールが最も好ましく、特に２−プロパノールが好ましい。
【００１７】
本発明の織物柔軟剤活性組成物は、少なくとも１種のトリス（２−ヒドロキシエチル）アミン脂肪酸エステルを、反応混合物が全アミン価７〜２０ｍｇＫＯＨ／ｇを有するまで、ジメチルスルフェートのアミン窒素に対するモル比０．７９〜０．９４でジメチルスルフェートと反応させる本発明の方法により製造することができる。全アミン価は、Ａｍｅｒｉｃａｎ  Ｏｉｌ  Ｃｈｅｍｉｓｔｓ  ＳｏｃｉｅｔｙのＴｆ  ２ａ−６４の方法に準拠して過塩素酸による非水滴定により測定することができ、試料１ｇあたりのｍｇＫＯＨとして算出されるものである。前記反応は、前記範囲の所望の全アミン価が達成された時点で、温度を下げることで終了させることができる。前記反応は、実質的にすべてのジメチルスルフェートが反応するまで続けられるのが好ましい。
【００１８】
ジメチルスルフェートのアミン窒素に対する前記範囲のモル比を選択すること、および７〜２０ｍｇＫＯＨ／ｇの全アミン価が達成されるまで前記反応を実施することによって、ジメチルスルフェートの高い変換率がもたらされ、同時に１５００ｐｐｍを超える量のメタノールの形成が回避される。
【００１９】
ジメチルスルフェートのアミン窒素に対するモル比は、０．８５〜０．９０の範囲で選択されるのが好ましい。前記トリス（２−ヒドロキシエチル）アミン脂肪酸エステルは、６０〜９５℃、より好ましくは７０〜９０℃の温度でジメチルスルフェートと反応させるのが好ましい。この反応は、反応混合物が、８〜１３ｍｇＫＯＨ／ｇ、最も好ましくは９〜１２ｍｇＫＯＨ／ｇの全アミン価を有するまで実施されるのが好ましい。前記トリス（２−ヒドロキシエチル）アミン脂肪酸エステルは、いずれの圧力、例えば、周囲圧力または低圧でジメチスルフェートと反応させてよい。前記トリス（２−ヒドロキシエチル）アミン脂肪酸エステルとジメチルスルフェートとの反応は、追加の溶媒の存在下に実施されてよいが、溶媒を追加しないで実施されるのが好ましい。
【００２０】
本発明の方法で使用されるトリス（２−ヒドロキシエチル）アミン脂肪酸エステルは、脂肪酸部分の窒素に対する平均モル比１．４〜２．０、より好ましくは１．５〜１．８を有しているのが好ましい。トリス（２−ヒドロキシエチル）アミン脂肪酸エステルの脂肪酸部分は、０．５〜１２０、より好ましくは１〜５０のヨウ素価を有しているのが好ましい。前記トリス（２−ヒドロキシエチル）アミン脂肪酸エステルの脂肪酸部分は、１６〜１８個、より好ましくは１６．５〜１７．８個の炭素原子の平均鎖長を有しているのが好ましい。
【００２１】
トリス（２−ヒドロキシエチル）アミン脂肪酸エステル開始材料は、トリエタノールアミンの脂肪酸または脂肪酸混合物によるエステル化、減圧でのエステル化の間に形成された水を除去することで製造されるのが好ましい。このようにして製造されたトリス（２−ヒドロキシエチル）アミン脂肪酸エステルは、さらなる精製をしないで使用することができる。所望のヨウ素価、平均鎖長および脂肪酸部分の窒素に対するモル比は、脂肪酸または脂肪酸混合物の選択、およびエステル化反応で使用されるトリエタノールアミンの脂肪酸に対するモル比により簡単に適合させることができる。前記エステル化は、１６０〜２１０℃の温度にて、周囲圧力で、水の理論量６０〜８０％が除去されるまで蒸留して、実施されるのが好ましい。その場合、圧力は、段階的に２０〜５０ｍｂａｒの範囲で最終圧力までに下げられ、前記反応は、１〜１０ｍｇＫＯＨ／ｇ、より好ましくは２〜５ｍｇＫＯＨ／ｇの酸価が達成されるまで続けられる。
【００２２】
本発明を、以下の例により説明するが、これは、決して本発明の範囲を限定するものではない。
【００２３】
例
例１：
市販のトリス（２−ヒドロキシエチル）メチルアンモニウムメチルスルフェート獣脂脂肪酸エステルのメタノール含有量
第１表は、ヘッドスペースＧＣにより測定された、市販のトリス（２−ヒドロキシエチル）メチルアンモニウムメチルスルフェート獣脂脂肪酸エステルのメタノール含有量を示している。
【００２４】
【表１】
0005992605.tif 000002
【００２５】
例２：
トリス（２−ヒドロキシエチル）アミン獣脂脂肪酸エステルの製造
ヨウ素価３８およびトリエタノールアミン１１１５ｇ（７．４７モル）を有する獣脂脂肪酸３５１３ｇ（１２．８２モル）の混合物を、撹拌しながら１９０℃に加熱して、この反応混合物から水を蒸留した。この温度で２時間後、圧力を段階的に２０ｍｂａｒに下げ、前記混合物を１９０℃および２０ｍｂａｒでさらに３時間撹拌した。その後、前記反応混合物を６０℃に冷却した。生じたトリス（２−ヒドロキシエチル）アミン獣脂脂肪酸エステルは、酸価３．６ｍｇＫＯＨ／ｇ、および全アミン価９５．２ｍｇＫＯＨ／ｇを有していた。
【００２６】
トリス（２−ヒドロキシエチル）メチルアンモニウムメチルスルフェート獣脂脂肪酸エステルの製造
例３：
ジメチルスルフェート１６７．７ｇ（１．３３モル）を、少量ずつ撹拌しながら、例２のトリス（２−ヒドロキシエチル）アミン獣脂脂肪酸エステル８１８ｇ（１．３８７モル）に加え、反応混合物を冷却して７０〜９０℃の範囲の温度を保った。すべてのジメチルスルフェートを添加した後、前記反応混合物を１時間８０〜９０℃で撹拌した。その後、２−プロパノール１０９．５ｇを加えて、前記混合物を均一になるまで撹拌した。生じた組成物は、全アミン価３．４ｍｇＫＯＨ／ｇを有しており、この組成物の質量に対してメタノール４４５０ｐｐｍを含んでいた。
【００２７】
例４：
例３を、ジメチルスルフェート１６０．４４ｇ（１．２７２モル）、例２のトリス（２−ヒドロキシエチル）アミン獣脂脂肪酸エステル８０８．８ｇ（１．３６９モル）、および２ープロパノール１０７．４７ｇを使用して繰り返した。生じた組成物は、全アミン価６．０ｍｇＫＯＨ／ｇを有しており、この組成物の質量に対して、メタノール３０００ｐｐｍを含んでいた。
【００２８】
例５：
例３を、ジメチルスルフェート１４４．５５ｇ（１．１４６モル）、例２のトリス（２−ヒドロキシエチル）アミン獣脂脂肪酸エステル７５５．４ｇ（１．２８２モル）、および２−プロパノール１００．０ｇを使用して繰り返した。生じた組成物は、全アミン価８．９ｍｇＫＯＨ／ｇを有しており、この組成物の質量に対してメタノール１４００ｐｐｍを含んでいた。
【００２９】
例６：
例３を、ジメチルスルフェート１３５．１ｇ（１．０７２モル）、例２のトリス（２−ヒドロキシエチル）アミン獣脂脂肪酸エステル７８０．１ｇ（１．３２４モル）、および２−プロパノール１０２．０ｇを使用して繰り返した。生じた組成物は、全アミン価１７．２ｍｇＫＯＨ／ｇを有しており、この組成物の質量に対してメタノール１５５ｐｐｍを含んでいた。
【００３０】
例３および例４（本発明によらない）ならびに例５および例６（本発明による）は、織物柔軟剤組成物のメタノール含有量が、トリス（２−ヒドロキシエチル）アミン脂肪酸エステルのジメチルスルフェートに対する正しいモル比を選択すること、および反応混合物の全アミン価７〜２０ｍｇＫＯＨ／ｇになるように四級化を実施することによって制御され得ることを明らかにしている。
【００３１】
例７（比較）：
特許ＵＳ６，９９５，１３１の第４３欄３７〜５３行に記載の、部分的に水素化されたキャノーラ脂肪酸に由来するアシル基を有するジ（アシルオキシエチル）（２−ヒドロキシエチル）メチルアンモニウムメチルスルフェートの製造を繰り返した。生じた組成物は、この組成物の質量に対してメタノール５５００ｐｐｍを含んでいた。